(57)【要約】【課題】装置全体を小型にした場合でも、ハウジング内に挿入されたカードを、振動や外乱等から安定して保持できる。【解決手段】ハウジング２の側方部分に、挿入口２ａから挿入されたカード１の凹部１ａと係合する係合部３ｃを有する付勢部材３を固定すると共に、この付勢部材３の係合部３ｃがカード１の凹部１ａに係合する方向へ、この付勢部材３を押圧する補助部材４をハウジング２の側方部分に固定する構成にしてある。【選択図】図２
2005183295.tif 000002
【特許請求の範囲】
【請求項１】
ハウジングの挿入口から挿入されたカードの凹部と係合する係合部を有する付勢部材を備えると共に、
この付勢部材の上記係合部が上記カードの凹部に係合する方向へ、上記付勢部材を押圧する補助部材を備えたことを特徴とするカード用コネクタ装置。
【請求項２】
上記請求項１記載の発明において、
上記付勢部材を押圧する上記補助部材の押圧部の位置を、上記付勢部材の上記係合部の位置よりも上記ハウジングの上記挿入口側に設定したことを特徴とするカード用コネクタ装置。
【請求項３】
上記請求項１記載の発明において、
上記付勢部材と上記補助部材とが１枚の板部材を曲げ起こし加工して成ることを特徴とするカード用コネクタ装置。
【請求項４】
上記請求項３記載の発明において、
上記付勢部材と、上記補助部材と、上記ハウジングに設けられ上記カードの接触部材が接触するコンタクト端子とが、１枚の板部材を切断加工して成ることを特徴とするカード用コネクタ装置。
【発明の詳細な説明】
【技術分野】
【０００１】
本発明は、ハウジングに挿入されたカードを保持する付勢部材を備えたカード用コネクタ装置に関する。
【背景技術】
【０００２】
この種の従来技術として、特許文献１に、カードの側縁に形成された凹部に係合する係合部を有する１枚の板ばねから成る付勢部材を、カードが挿入されるハウジングの側方部分に備えた構成が示されている。この特許文献１に記載の技術では、ハウジング内に挿入されたカードは、付勢部材の付勢力によってその係合部がカードの凹部に係合する。これによって例えば、カードの接触部材がハウジングのコンタクト端子に導通する所定の装着位置において、カードがハウジングに与えられる振動や外乱等によってハウジングの挿入口から外部に脱落しないように保持される。
【０００３】
また、別の従来技術として、特許文献２に、ハウジングの底部に配置された１枚の板ばねから成る付勢部材の係合部を、ハウジングに挿入されたカードの凹部に係合させる構成が示されている。この特許文献２に記載の技術でも、ハウジング内に挿入されたカードの凹部に、付勢部材の係合部が係合したときから、そのカードがハウジングに与えられる振動や外乱によってハウジングの挿入口から脱落しないように保持される。
【特許文献１】特開２００２−３５２９１１公報
【特許文献２】特開２００２−１９０３５５公報
【発明の開示】
【発明が解決しようとする課題】
【０００４】
ところで昨今、カードの小型化が開発される傾向にある。これに伴って、カードが挿入されるカード用コネクタ装置も、小型のものが要望されはじめている。この場合、上述した従来技術のそれぞれは、付勢部材が１枚の板ばねから成ることから、これを小さく形成すると、十分な付勢力を確保できなくなる懸念がある。すなわち、従来技術にあっては、小型化に伴ってハウジング内に挿入されたカードが付勢部材の付勢力が弱いために、ハウジングに与えられる振動や外乱等によって挿入口から外部に脱落してしまう虞がある。
【０００５】
本発明は、上述した従来技術における実状からなされたもので、その目的は、装置全体を小型にした場合でも、ハウジング内に挿入されたカードを、振動や外乱等から安定して保持できるカード用コネクタ装置を提供することにある。
【課題を解決するための手段】
【０００６】
上記目的を達成するために、本発明は、ハウジングの挿入口から挿入されたカードの凹部と係合する係合部を有する付勢部材を備えると共に、この付勢部材の上記係合部が上記カードの凹部に係合する方向へ、上記付勢部材を押圧する補助部材を備えたことを特徴としている。
【０００７】
このように構成した本発明は、付勢部材が補助部材によって押圧されることにより、ハウジング内に挿入されたカードの凹部に付勢部材の係合部を十分な付勢力で確実に係合させることができる。したがって、装置全体を小型にした場合でも、ハウジング内に挿入されたカードを振動や外乱等から安定して保持でき、挿入口から外部へのカードの脱落を防止できる。
【０００８】
また、本発明は上記発明において、上記付勢部材を押圧する上記補助部材の押圧部の位置を、上記付勢部材の上記係合部の位置よりも上記ハウジングの上記挿入口側に設定したことを特徴としている。
【０００９】
このように構成した本発明は、付勢部材の両端を支持する構造とすることができ、これによって、この付勢部材の両端間に位置する係合部のカードの凹部に対する付勢力を強くすることができる。
【００１０】
また、本発明は上記発明において、上記付勢部材と上記補助部材とが１枚の板部材を曲げ起こし加工して成ることを特徴としている。
【００１１】
このように構成した本発明は、付勢部材と補助部材とを、曲げ起こし加工によって簡単に形成できる。
【００１２】
また、本発明は上記発明において、上記付勢部材と、上記補助部材と、上記ハウジングに設けられ上記カードの接触部材が接触するコンタクト端子とが、１枚の板部材を切断加工して成ることを特徴としている。
【００１３】
このように構成した本発明は、製作に際し、付勢部材と、補助部材と、コンタクト端子とを含むものを製作する過程において１部材として扱うことができ、製作工数を少なくすることができる。
【発明の効果】
【００１４】
本発明は、装置全体を小型にした場合でも、ハウジング内に挿入されたカードを振動や外乱等から安定して保持でき、挿入口から外部へのカードの脱落を防止でき、コネクタ装置としての優れた信頼性を確保できる。
【発明を実施するための最良の形態】
【００１５】
以下，本発明に係るカード用コネクタ装置を実施するための最良の形態を図に基づいて説明する。
【００１６】
図１は本発明に係るカード用コネクタ装置の一実施形態のカード挿入時を示す図で、（ａ）図は平面図、（ｂ）図は正面図、図２は図１に示す一実施形態において、カードが所定の装着位置に装着された状態を示す平面図である。
【００１７】
［本実施形態で使用されるカード］
本実施形態で使用されるカード１は、例えば側縁に凹部１ａを有し、図２に示すように裏面の前側部分に信号の送受信に活用される接触部材１ｂを備えている。
【００１８】
［本実施形態の構成］
本実施形態は、本体を形成するハウジング２を備えている。このハウジング２は、図１の（ｂ）図に示すように、カード１が挿入される挿入口２ａを備えると共に、図１の（ａ）図に示すように、装置奥側位置に、カード１の接触部材１ｂとの接触により信号の送受信を行なうコンタクト端子２ｂを備えている。
【００１９】
このハウジング２の側方部分には、カード１の凹部１ａに係合する係合部３ｃを有する付勢部材３を配置してあると共に、この付勢部材３を、その係合部３ｃがカード１の凹部１ａに係合する方向へ、この付勢部材３を押圧する補助部材４を配置してある。
【００２０】
付勢部材３と補助部材４とは、例えば１枚の板部材を曲げ起こし加工で形成してあり、これらの固定端３ａ，４ａをハウジング２に埋設してある。付勢部材３の自由端３ｂ付近に上述した係合部３ｃを形成してある。補助部材４の自由端４ｂの先端部付近、すなわち、付勢部材３の係合部３ｃの位置よりもハウジング２の挿入口２ａ側に、付勢部材３を押圧する補助部材４の押圧部４ｃの位置を設定してある。
【００２１】
なお、図２の二点鎖線で示すように、例えば付勢部材３と、補助部材４と、コンタクト端子２ｂとは、製作に際し１枚の板部材５に含ませてあり、この板部材５をハウジング２にインサート成形した後、切断加工することによって、コンタクト端子２ｂ、及び付勢部材３、補助部材４を形成してある。
【００２２】
また、ハウジング２には、補助部材４の根元付近を支持する支持部２ｃと、付勢部材３の係合部３ｃがカード１の凹部１ａに係合した際に、付勢部材３の自由端３ｂの先端部分のハウジング２のカード１が挿入される側への動きを規制するストッパ２ｄと、付勢部材３の根元を支持する支持部２ｅとを形成してある。
【００２３】
このように構成した本実施形態は、図１の（ａ）図に示すように、ハウジング２の挿入口２ａから挿入され押し込まれたカード１が、例えば所定の装着位置に至ったとき、すなわちカード１の接触部材１ｂとハウジング２のコンタクト端子２ｂとが導通する位置に至ったとき、補助部材４によって押される付勢部材３の係合部３ｃが、カード１の凹部１ａに係合する。これによって、カード１が所定の装着位置に装着された状態で動かないように保持される。この所定の装着位置において、カード１の接触部材１ｂ及びハウジング２のコンタクト端子２ｂを介して、カード１に対する信号の送受信が可能となる。
【００２４】
カード１の排出時には、例えば図示しないカード排出機構によってカード１を排出させることにより、付勢部材３の付勢力、及び補助部材４の押圧力に抗してカード１が所定の位置まで排出される。
【００２５】
［本実施形態の効果］
このように構成した本実施形態によれば、付勢部材３が補助部材４の当接部４ｃによって押圧されることにより、ハウジング２内に挿入されたカード１の凹部１ａに係合部材３の係合部３ｃを十分な付勢力で確実に係合させることができる。したがって、装置全体を小型にした場合でも、すなわち付勢部材３及び補助部材４が小さくなっても、カード１の凹部１ａに付勢部材３の係合部３ｃを係合させるのに必要な付勢力を確保できる。これにより、ハウジング２内に挿入されたカード１を振動や外乱等から安定して保持でき、ハウジング２の挿入口２ａから外部へのカード１の脱落を防止できる。したがって、コネクタ装置としての優れた信頼性を確保できる。
【００２６】
なお、カード１の排出に際し、図２に示す状態にあるカード１が排出され、その排出力によってカード１の凹部１ａから、付勢部材３の係合部３ｃが離脱し、図１に示すような状態になったときでも、本実施形態は有効である。すなわち、付勢部材３の付勢力と補助部材４の押圧力とによって、付勢部材３の係合部３ｃが比較的大きい力でカード１の側縁に当接する。したがって、このような排出時にあっても、カード１の抜けを規制しようとする力が働き、カード１の不測の脱落を防止することができる。
【００２７】
また、付勢部材３は、その固定端３ａをハウジング２に支持させ、その自由端３ｂを補助部材４の当接部４ｃによって支持させた構造にしてある。すなわち、本来は片持ちばねを形成する付勢部材３を、補助部材４の当接部４ｃを介して両端支持する構造にしてある。これにより、付勢部材３の両端間に位置する係合部３ｃのカード１の凹部１ａに対する付勢力を強くすることができる。すなわち、付勢部材３の係合部３ｃをカード１の凹部１ａに確実に係合させることができ、コネクタ装置としての信頼性の確保に貢献する。
【００２８】
また、付勢部材３と補助部材４とを１枚の板部材５から曲げ起こし加工によって形成してあることから、これらの付勢部材３と補助部材４との製作が簡単で製作工数を少なく抑えることができ、また、部品数を少なく抑えることができる。これにより、製作費を安くすることができる。
【００２９】
さらに、付勢部材３と、補助部材４と、コンタクト端子２ｂとを、製作に際し図２の二点鎖線で示したように１枚の板部材５に含ませたことから、これらの付勢部材３、補助部材４、及びコンタクト端子２ｂを製作する過程において１部材として扱うことができる。これによっても、製作工数を少なく抑えることができ、製作費を安くすることができる。
【００３０】
［本発明の他の構成］
なお、上記実施形態では、ハウジング２に付勢部材３と補助部材４を固定させた構成にしてあるが、本発明は、このように構成することには限られない。例えば、ハウジング２内に、カード１の挿入に伴ってハウジング２内を摺動するスライド部材を設け、このスライド部材に、カード１の凹部１ａに係合する係合部３ｃを有する付勢部材３と、この付勢部材３を押圧する補助部材４とを固定する構成にしてもよい。
【００３１】
また、ハウジング２の高さ方向に余裕があり、装置全体の幅寸法を小さくしたいとき等であって、表面あるいは裏面に凹部が形成されているカード１を装着させたい場合には、上述した本実施形態の構成に代えて、ハウジング２の上面を形成するカバーに、あるいは下面を形成する底部に、上述した付勢部材３と補助部材４との組み合わせを配置してもよい。
【００３２】
また、上記実施形態では、所定の装着位置においてカード１の凹部１ａに付勢部材３の係合部３ｃが係合する構成にしてあるが、本発明はこれに限られず、所定の装着位置にカード１が至る以前に、カード１の凹部１ａに付勢部材３の係合部３ｃが係合する構成にしてもよい。
【図面の簡単な説明】
【００３３】
【図１】本発明に係るカード用コネクタ装置の一実施形態のカード挿入時を示す図で、（ａ）図は平面図、（ｂ）図は正面図である。
【図２】図１に示す一実施形態において、カードが所定の装着位置に装着された状態を示す平面図である。
【符号の説明】
【００３４】
１    カード
１ａ  凹部
１ｂ  接触部材
２    ハウジング
２ａ  挿入口
２ｂ  コンタクト端子
２ｃ  支持部
２ｄ  ストッパ
２ｅ  支持部
３    付勢部材
３ａ  固定端
３ｂ  自由端
３ｃ  係合部
４    補助部材
４ａ  固定端
４ｂ  自由端
４ｃ  当接部
５    板部材
【図１】
2005183295.tif 000003
【図２】
2005183295.tif 000004